(57)【特許請求の範囲】
【請求項１】
番組を最初に放送した放送局を一意に識別する放送局番号と前記放送局内で番組を一意に識別する局内番組番号とからなる番組番号と番組情報を受信する受信手段と、前記受信手段で受信した前記番組番号と前記番組情報を記憶する記憶手段と、検索キー或いは検索条件で前記記憶手段に記憶した前記番組情報から前記番組番号を取得し前記番組番号の一致する番組情報を検索する検索手段と、前記検索手段の検索結果を表示する表示手段を備えたことを特徴とする番組情報検索装置。
【請求項２】
前記受信手段は、前記番組と前記番組番号と前記番組情報を受信する放送受信手段と、記録媒体に前記番組の映像・音声データと前記記録媒体の識別番号を記録し前記記録媒体の識別番号を前記記憶手段に送信して記憶させる録画手段を備えたことを特徴とする請求項１記載の番組情報検索装置。
【請求項３】
前記受信手段は、前記記録媒体が挿入されると前記記録媒体の識別番号を読み出して前記検索手段に送信して前記記憶手段に記憶させている番組情報から前記記録媒体の識別番号と一致する番組情報を検索させる再生手段を備えたことを特徴とする請求項２記載の番組情報検索装置。
【請求項４】
前記検索キー或いは検索条件を入力する入力手段を備えたことを特徴とする請求項１乃至３記載の番組情報検索装置。
【請求項５】
前記検索手段は、前記入力手段で入力した前記検索キー或いは検索条件で検索結果を並び替えることを特徴とする請求項４記載の番組情報検索装置。
【発明の詳細な説明】
【０００１】
【発明の属する技術分野】
本発明は、放送される番組に、放送内容を一意に識別することが可能な番号を付与することにより、１つ以上の媒体から同一内容の番組を探し出すことを可能にする方法と、複数の同一内容の番組の中から、品質の優れた物や料金の安い物を検索して視聴・録画する方法と、１つ以上の媒体に録画した番組の情報を自動的にサーバに登録し、参照・検索する方法と、前記方法を実現する装置およびコンピュータプログラムを記録した媒体に関するものである。
【０００２】
【従来の技術】
現在、テレビ放送においては、電子番組表を用いた番組情報の配信が行われており、電子番組表上で操作を行うことによって視聴・録画の予約ができる受信機がある。
【０００３】
また、録画した番組の日時・チャンネル・番組名などの番組情報を自動的に記録しておき、後で録画したテープなどの媒体を入れると当該媒体に記録されている番組の情報を表示するビデオデッキなどがある。
【０００４】
【発明が解決しようとする課題】
しかしながら、上記従来の技術では、電子番組表の情報は地上波・ＢＳ・ＣＳなど媒体毎に異なり、複数の媒体で放送される番組から目的の番組を検索するのは難しい。
【０００５】
更に、今後、放送の媒体が増え多チャンネル化が進むと、目的の番組を探すのはより難しくなり、また同じ内容の番組でも媒体によって品質に差が出たり、有料番組の場合は媒体によって料金が違うということも考えられる。
【０００６】
また、番組を録画する機器もビデオテープに加え光ディスクやハードディスクなど多様化し、録画した番組の管理も難しくなる。
【０００７】
本発明は上記問題に鑑みて成されたもので、１つ以上の媒体で放送される番組に内容を一意に識別できる番号を付与し、目的の番組の検索を容易にし、また複数の録画機器で録画した番組の情報をまとめて管理することにより録画した番組情報の検索・参照を容易にする番組情報検索方法を提供することを目的とする。
【０００８】
【課題を解決するための手段】
本発明の番組情報検索方法は、番組を最初に放送した放送局を一意に識別する放送局番号と前記放送局内で番組を一意に識別する局内番組番号とからなる番組番号と番組情報を受信する受信ステップと、前記受信ステップで受信した前記番組番号と前記番組情報を記憶する記憶ステップと、検索キー或いは検索条件で前記記憶ステップのときに記憶した前記番組情報から前記番組番号を取得し前記番組番号の一致する番組情報を検索する検索ステップと、前記検索ステップの検索結果を表示する表示ステップを備えたことを特徴とするものである。更に、前記受信ステップは、前記番組と前記番組番号と前記番組情報を受信する放送受信ステップと、記録媒体に前記番組の映像・音声データと前記記録媒体の識別番号を記録する録画ステップとを備え、前記記憶ステップのときに前記記録媒体の識別番号を記憶することを特徴とすることを特徴とするものである。更に、前記記録媒体が挿入されると前記記録媒体の識別番号を読み出して前記記憶ステップのときに記憶させている番組情報から前記記録媒体の識別番号と一致する番組情報を検索させる再生ステップを備えたことを特徴とするものである。
【０００９】
また、本発明の番組除法検索装置は、番組を最初に放送した放送局を一意に識別する放送局番号と前記放送局内で番組を一意に識別する局内番組番号とからなる番組番号と番組情報を受信する受信手段と、前記受信手段で受信した前記番組番号と前記番組情報を記憶する記憶手段と、検索キー或いは検索条件で前記記憶手段に記憶した前記番組情報から前記番組番号を取得し前記番組番号の一致する番組情報を検索する検索手段と、前記検索手段の検索結果を表示する表示手段を備えたことを特徴とするものである。
【００１０】
また、本発明の番組除法検索装置は、前記受信手段は、前記番組と前記番組番号と前記番組情報を受信する放送受信手段と、記録媒体に前記番組の映像・音声データと前記記録媒体の識別番号を記録し前記記録媒体の識別番号を前記記憶手段に送信して記憶させる録画手段を備えたことを特徴とするものである。
【００１１】
また、本発明の番組除法検索装置は、前記受信手段は、前記記録媒体が挿入されると前記記録媒体の識別番号を読み出して前記検索手段に送信して前記記憶手段に記憶させている番組情報から前記記録媒体の識別番号と一致する番組情報を検索させる再生手段を備えたことを特徴とするものである。
【００１２】
また、本発明の番組情報検索装置は、前記検索キー或いは検索条件を入力する入力手段を備えたことを特徴とするものである。
【００１３】
また、本発明の番組情報検索装置は、前記検索手段は、前記入力手段で入力した前記検索キー或いは検索条件で検索結果を並び替えることを特徴とするものである。
【００１４】
【発明の実施の形態】
（実施の形態１）
図１は、実施の形態１に記載の番組番号付与方法を示す図である。番組番号はいくつかのフィールドに分かれたビット列で表される。
【００１５】
放送局番号１０１は、放送局を一意に識別するための番号であり、放送局毎に重複のない番号である。ここで、放送局には現行の地上波・ＢＳ・ＣＳ放送局に加え、インターネットを用いて動画配信を行う業者も含まれる。そして、同一内容の番組が複数の局で複数回放送される場合は、放送局番号１０１に当該番組を最初に放送した放送局の番号を格納することにより、同一内容の番組は放送局が違っていても同一であると判断できる。
【００１６】
局内番組番号１０２は、各放送局内で放送される番組に重複がないように付与される局内の番組番号である。重複がないように番号を付与する方法としては、最初に放送された日付や時刻から番号を生成する方法が考えられる。
【００１７】
（実施の形態２）
図２は、実施の形態２に記載の番組検索装置の構成を示す図である。
【００１８】
受信手段２０１は、番組情報を受信するための手段であり、地上波放送、ＢＳ、ＣＳ、インターネットなどで配信される番組情報を受信する機能を持つ。
【００１９】
記憶手段２０２は、受信した番組情報を格納する。番組情報の内容としては、番組名、出演者などの番組の内容に関する情報と、解像度、ビットレート、音声フォーマットなどのフォーマットに関する情報と、実施の形態１に記載の番組番号などからなるものが考えられる。
【００２０】
入力手段２０３は、ユーザーが検索キーや検索の条件を入力するための手段であり、リモコンやキーボードなどが考えられる。
【００２１】
検索手段２０４は、入力手段２０３から入力された検索キーに基づいて記憶手段２０２から該当する番組を検索し、該当した番組の実施の形態１に記載の番組番号を取得し、取得した番組番号を用いて再び記憶手段２０２から番組番号の一致する番組を検索する。前記処理により、番組情報の表記が異なっていても、内容が同じ番組であれば漏れなく検索することが可能となる。
【００２２】
更に、入力手段２０３より指定された条件、例えば「ビットレートの高いもの」「料金が安いもの」といった条件に基づいて検索の結果を並べ変えて表示手段２０５に結果を表示することも可能である。
【００２３】
（実施の形態３）
図３は、実施の形態３に記載の番組情報記録装置の構成を示す図である。
【００２４】
サーバ手段３０１は、番組情報を格納する記憶手段３０２と、記憶手段３０２中の番組情報の検索を行う検索手段３０３と、録画・再生機器との情報のやり取りを行うインターフェイス手段３０５を持つ。
【００２５】
録画・再生機器（３１４および３１５）は、少なくとも放送を受信する放送受信手段３０８と、記録媒体３１２に録画を行う録画手段３０９と、記録媒体に記録されている番組の再生を行う再生手段３１０と、サーバ手段３０１との情報のやり取りを行うインターフェイス手段３１１を持つ。
【００２６】
ここで、放送受信手段３０８が受信する放送媒体は、地上波、ＢＳ、ＣＳ放送に加え、インターネットを用いて動画を配信するようなサービスも含まれる。記録媒体３１２は磁気テープや光ディスクなど種類を問わない。また、録画・再生機器（３１５）によっては、番組情報を受信する番組情報受信手段３１３を持つものも考えられる。
【００２７】
なお、本実施の形態では、録画・再生機器（３１４および３１５）が２台の場合を示したが、台数は特に制限しなくともよい。
【００２８】
録画・再生機器（３１４および３１５）の録画手段３０９は、放送受信手段３０８で受信した番組を記録媒体３１２に記録する際、番組の映像・音声データとともにその媒体を識別するための番号を記録する。
【００２９】
ここで、媒体を識別する番号は、サーバ手段３０１でカウンタ３０６を持っておき新しい媒体が挿入されるごとにインターフェイス手段３０５を通してサーバ手段３０１から取得する方法が考えられる。
【００３０】
なお、本実施の形態では、録画手段３０９が記録媒体３１２を識別する番号を記録する構成にしたが、記録媒体３１２に予め通し番号が振られている場合はその番号を利用することも可能である。
【００３１】
次に録画手段３０９は、録画を行う番組のチャンネル・日時・録画モードまたはビットレートなどの情報と記録媒体の種類、記録媒体を識別する番号をインターフェイス手段３１１を通してサーバ手段３０１に送信する。番組情報受信手段３１３を持つ場合は、番組名などの番組情報を送信することも考えられる。
【００３２】
サーバ手段３０１はインターフェイス手段３０５を通して録画・再生機器から送信された上記情報を受け取り、記憶手段３０２に格納する。
【００３３】
一方、録画・再生機器（３１４および３１５）に番組が記録された記録媒体３１２が挿入されると、再生手段３１０は記録媒体３１２から記録媒体３１２を識別する番号を読み出し、当該番号をインターフェイス手段３１１を通してサーバ手段３０１に送信する。
【００３４】
サーバ手段３０１は、インターフェイス手段３０５を通して上記番号を受け取り、検索手段３０３において、記憶手段３０２に格納されている番組情報から当該番号と一致する番号を検索し、検索結果をインターフェイス手段３０５を通して録画・再生機器（３１４および３１５）に送信する。
【００３５】
録画・再生機器（３１４および３１５）は上記結果を受け取り、画面や本体表示部に表示することによってユーザーにその記録媒体３１２に記録されている番組の情報を提示する。
【００３６】
また、サーバ手段３０１は、ユーザーからの入力を受ける入力手段３０４とユーザーへの情報提示を行う表示手段３０７を持つ構成も考えられる。前記場合は、入力手段３０４からユーザーが入力した条件を元に検索手段３０３が記憶手段３０２から条件に合う番組の情報を検索し、検索結果を表示手段３０７に出力する。
【００３７】
（実施の形態４）
図４は実施の形態４に記載の番組検索方法の処理の流れを示すフローチャートである。番組検索方法の処理の流れについて、図２および図４を用いて説明する。
【００３８】
まず、受信手段２０１で番組情報を受信し(Ｓ４０１)、受信した番組情報を記憶手段２０２に格納する(Ｓ４０２)。番組情報の内容としては、番組名、出演者などの番組の内容に関する情報と、解像度、ビットレート、音声フォーマットなどのフォーマットに関する情報と、実施の形態１に記載の番組番号などからなるものが考えられる。
【００３９】
次に、入力手段２０３からユーザーが検索キーや検索の条件を入力するのを受け取り(Ｓ４０３)、検索手段２０４で、入力手段２０３から入力された検索キーに基づいて記憶手段２０２から該当する番組を検索する(Ｓ４０４)。
【００４０】
そして、検索結果から上記番組の実施の形態１に記載の番組番号を取得し(Ｓ４０５)、取得した番組番号を用いて再び記憶手段２０２から番組番号の一致する番組を検索する(Ｓ４０６)。前記処理により、番組情報の表記が異なっていても、内容が同じ番組であれば漏れなく検索することが可能となる。
【００４１】
最後に、検索手段２０４は、入力手段２０３より指定された条件、例えば「ビットレートの高いもの」「料金が安いもの」といった条件に基づいて検索の結果を並べ変えて(Ｓ４０７)、表示手段２０５に結果を表示する(Ｓ４０８)。
【００４２】
（実施の形態５）
図５（ａ）は、実施の形態５に記載の番組情報記録方法の録画時の処理の流れを示すフローチャートである。また、図５（ｂ）は、実施の形態５に記載の番組情報記録方法の再生時の処理の流れを示すフローチャートである。
【００４３】
まず、録画時の動作について図５（ａ）を用いて説明する。録画時、録画・再生機器（３１４または３１５）の録画手段３０９は放送受信手段３０８で受信した番組を記録媒体３１２に記録する際、番組の映像・音声データとともにその媒体を識別するための番号を記録する(Ｓ５０１)。
【００４４】
ここで、媒体を識別する番号は、サーバ手段３０１でカウンタ３０６を持っておき新しい媒体が挿入されるごとにインターフェイス手段３０５を通してサーバ手段３０１から取得する方法や、記録媒体に予め通し番号が振られている番号を利用する方法が考えられる。
【００４５】
次に録画手段３０９は、録画を行う番組のチャンネル・日時・録画モードまたはビットレートなどの情報と記録媒体の種類、記録媒体を識別する番号をインターフェイス手段３１１を通してサーバ手段３０１に送信する(Ｓ５０２)。番組情報受信手段３１３を持つ場合は、番組名などの番組情報も送信することも考えられる。
【００４６】
上記処理後、サーバ手段３０１はインターフェイス手段３０５を通して録画・再生機器（３１４または３１５）から送信された上記情報を受け取り(Ｓ５０３)、記憶手段３０２に格納する(Ｓ５０４)。
【００４７】
次に再生時の動作について図５（ｂ）を用いて説明する。録画・再生機器（３１４または３１５）に番組が記録された記録媒体が挿入されると(Ｓ５０５)、再生手段３１０は記録媒体３１２から記録媒体を識別する番号を読み出し(Ｓ５０６)、読み出した番号をインターフェイス手段３１１を通してサーバ手段３０１に送信する(Ｓ５０７)。
【００４８】
サーバ手段３０１は上記番号をインターフェイス手段３０５を通して受け取り、検索手段３０３において記憶手段３０２に格納されている番組情報からその番号と一致する物を検索し(Ｓ５０８)、検索結果をインターフェイス手段３０５を通して録画・再生機器（３１４または３１５）に送信する(Ｓ５０９)。
【００４９】
録画・再生機器（３１４または３１５）は、上記結果を受け取り(Ｓ５１０)、画面や本体表示部に表示する(Ｓ５１１)。
【００５０】
上記処理により、ユーザーにその記録媒体３１２に記録されている番組の情報を提示することが可能となる。
【００５１】
（実施の形態６）
本発明の実施の形態６に記載の記録媒体は、コンピュータ上で実施の形態１に記載の番組番号付与方法を実現するためのプログラムをコンピュータが読み取り可能な形式で記録した、例えば磁気媒体、光媒体、光磁気媒体、半導体素子などの記録媒体である。
【００５２】
（実施の形態７）
本発明の実施の形態７に記載の記録媒体は、コンピュータ上で実施の形態４に記載の番組検索方法を実現するためのプログラムをコンピュータが読み取り可能な形式で記録した、例えば磁気媒体、光媒体、光磁気媒体、半導体素子などの記録媒体である。
【００５３】
（実施の形態８）
本発明の実施の形態８に記載の記録媒体は、コンピュータ上で実施の形態５に記載の番組情報記録方法を実現するためのプログラムをコンピュータが読み取り可能な形式で記録した、例えば磁気媒体、光媒体、光磁気媒体、半導体素子などの記録媒体である。
【００５４】
【発明の効果】
以上説明したように、本発明の番組番号付与方法・番組検索方法によれば、番組の内容を一意に識別することが可能になり、複数の媒体で放送される番組の中から目的に合った番組を検索することが容易になり、本発明の番組情報記録方法によれば、複数の種類の異なる記録媒体に録画した番組の検索が容易になり、録画した機器と再生する機器が異なる場合でも記録媒体中の番組情報を参照することが可能になる。
【図面の簡単な説明】
【図１】  本発明の実施の形態１に記載の番組番号付与方法を示す図
【図２】  本発明の実施の形態２に記載の番組検索装置の構成を示す図
【図３】  本発明の実施の形態３に記載の番組情報記録装置の構成を示す図
【図４】  本発明の実施の形態４に記載の番組検索方法の処理の流れを示すフローチャート
【図５】  （ａ）本発明の実施の形態５に記載の番組情報記録方法の録画時の処理の流れを示すフローチャート
（ｂ）本発明の実施の形態５に記載の番組情報記録方法の再生時の処理の流れを示すフローチャート
【符号の説明】
１０１  放送局番号
１０２  放送局内番組番号
１０３  その他の情報
２０１  受信手段
２０２、３０２  記憶手段
２０３、３０４  入力手段
２０４、３０３  検索手段
２０５、３０７  表示手段
３０１  サーバ手段
３０５、３１１  インターフェイス手段
３０６  カウンタ
３０８  放送受信手段
３０９  録画手段
３１０  再生手段
３１２  記録媒体
３１３  番組情報受信手段
【図１】
0003988438.tif 000002
【図２】
0003988438.tif 000003
【図３】
0003988438.tif 000004
【図４】
0003988438.tif 000005
【図５】
0003988438.tif 000006